(57)【特許請求の範囲】
【請求項１】
上部に形成された吸込口、前面部下側に形成された吹出口、及び前記吸込口と前記吹出口とを連通する風路を有するケーシングと、
前記風路内における前記吸込口の下流側に設けられた少なくとも１つのプロペラファンと、
前記風路内における前記プロペラファンの下流側に設けられ、前記プロペラファンによって前記風路内へ吸い込まれた空気と冷媒とを熱交換させる熱交換器と、
を備えた空気調和機の室内機において、
前記ケーシングの前面部に形成されたケーシング開口部を開閉自在に覆う意匠パネルと、
前記意匠パネルの背面側に設けられ、前記プロペラファンと前記熱交換器との間の前面側の開口部を密閉し、前記プロペラファンと前記熱交換器との間の風路の前側側壁を構成する正面カバーと、
を備えたことを特徴とする空気調和機の室内機。
【請求項２】
前記プロペラファンが取り付けられたファン取付部材と、
前記熱交換器の前側端部に対向配置され、該熱交換器の前側端部との間がシール部材で閉塞されて、前記風路を前記熱交換器の上流側風路と下流側風路とに分離する風路分離部材と、
を備え、
前記正面カバーは、前記ファン取付部材の前部、前記風路分離部材の前部、及び、前記プロペラファンと前記熱交換器との間の風路の左右側壁の前部によって形成される開口部を密閉することを特徴とする請求項１に記載の空気調和機の室内機。
【請求項３】
前記正面カバーは、少なくとも前記ファン取付部材の前部及び前記風路分離部材の前部にネジ止めされることにより、前記開口部を密閉することを特徴とする請求項２に記載の空気調和機の室内機。
【請求項４】
前記ファン取付部材の前部、前記風路分離部材の前部及び前記左右側壁の前部と、前記正面カバーと、の間にシール部材を設け、
該シール部材によって、前記正面カバーは前記開口部を密閉することを特徴とする請求項２又は請求項３に記載の空気調和機の室内機。
【請求項５】
前記正面カバーには挿入口が形成され、
前記プロペラファンと前記熱交換器との間に設けられ、前記挿入口から挿入及び取り出し自在な空気清浄装置と、
前記挿入口を開閉自在に密閉する開閉蓋と、
を備えたことを特徴とする請求項１〜請求項４のいずれか一項に記載の空気調和機の室内機。
【請求項６】
前記開閉蓋は、前記空気清浄装置又は該空気清浄装置の収納部材に取り付けられていることを特徴とする請求項５に記載の空気調和機の室内機。
【請求項７】
前記開閉蓋は、その一辺が回動自在に前記正面カバーに取り付けられていることを特徴とする請求項５に記載の空気調和機の室内機。
【請求項８】
前記開閉蓋は、前記正面カバーにネジ止めされることにより、前記挿入口を密閉することを特徴とする請求項５〜請求項７のいずれか一項に記載の空気調和機の室内機。
【請求項９】
前記開閉蓋と前記正面カバーとの間にシール部材を設け、
該シール部材によって、前記開閉蓋は前記挿入口を密閉することを特徴とする請求項５〜請求項８のいずれか一項に記載の空気調和機の室内機。
【発明の詳細な説明】
【技術分野】
【０００１】
本発明は、空気調和機の室内機に関するものである。
【背景技術】
【０００２】
従来より、熱交換器の下流側に貫流ファンを備えた空気調和機の室内機が提案されている。このような熱交換器の下流側に貫流ファンを備えた空気調和機の室内機は、例えば図１０に示すような構成となっている。
【０００３】
図１０は、熱交換器の下流側に貫流ファンを備えた従来の空気調和機の室内機を示す側面断面図である。図１０に示すように、この室内機１０１は、上部に吸込口５が形成され、前面部下側に吹出口６が形成されたケーシング１０を備えている。そして、ケーシング１０の内部には、複数のブレードを有する貫流ファン１１０、及び、該貫流ファン１１０の上流側を取り囲むように配置された熱交換器２０が収容されている。この熱交換器２０は、例えばフィンチューブ型の熱交換器であり、複数の伝熱管と、所定の間隔を介して積層配置され、伝熱管が積層方向に挿入された複数の伝熱フィンと、を備えている。また、吸込口５と熱交換器２０との間には、集塵等を行う空気清浄装置３１やフィルター４０が必要に応じて配置されている。そして、ケーシング１０の前面部には、空気清浄装置３１やフィルター４０の取り付け及び取り外し等を行うための開口部３ａが形成されている。この開口部３ａは、意匠パネル３によって開平自在に覆われている。
【０００４】
このように構成された室内機１０１は、貫流ファン１１０が駆動されると、ケーシング１０の上部に形成された吸込口５から室内の空気を吸込む。吸込口５からケーシング１０内に流入したこの空気は、フィルター４０等を通り、熱交換器２０に流入する。そして、熱交換器２０に流入した空気は、熱交換器２０内を流れる冷媒と熱交換した後、貫流ファン１１０により吹出口６から室内に排出される。
【０００５】
このような熱交換器の下流側に貫流ファンを備えた従来の空気調和機の室内機としては、例えば特許文献１に記載の室内機がある。
【０００６】
また、従来の空気調和機の室内機には、熱交換器の上流側にプロペラファン（軸流ファン）を備えた室内機も提案されている。このような熱交換器の上流側にプロペラファンを備えた従来の空気調和機の室内機は、例えば図１１に示すような構成となっている。
【０００７】
図１１は、熱交換器の上流側にプロペラファンを備えた従来の空気調和機の室内機を示す側面断面図である。図１１に示すように、この室内機１０２は、上部に吸込口５が形成され、前面部下側に吹出口６が形成されたケーシング１０を備えている。そして、ケーシング１０の内部には、吸込口５の下流側に設けられたプロペラファン１１、及び、プロペラファン１１の下流側に設けられた熱交換器２０が収容されている。この熱交換器２０も、例えばフィンチューブ型の熱交換器であり、複数の伝熱管と、所定の間隔を介して積層配置され、伝熱管が積層方向に挿入された複数の伝熱フィンと、を備えている。また、吸込口５とプロペラファン１１との間には、フィルター４０等が必要に応じて配置されている。
【０００８】
このように構成された室内機１０２は、プロペラファン１１が駆動されると、ケーシング１０の上部に形成された吸込口５から室内の空気を吸込む。吸込口５から流入したこの空気は、フィルター４０を通り、プロペラファン１１に流入する。この空気は、プロペラファン１１によって熱交換器２０側へ送られ、熱交換器２０に流入する。そして、熱交換器２０に流入した空気は、熱交換器２０内を流れる冷媒と熱交換した後、吹出口６から室内に排出される。
【０００９】
このような熱交換器の上流側にプロペラファンを備えた従来の空気調和機の室内機としては、例えば特許文献２に記載の室内機がある。
【先行技術文献】
【特許文献】
【００１０】
【特許文献１】特開２００２−７９１４０号公報
【特許文献２】ＷＯ２０１０／０８９９２０号公報
【発明の概要】
【発明が解決しようとする課題】
【００１１】
通常、ケーシング１０内に形成される風路の前側側壁は、ケーシング１０の前面部及び該前面部の開口部３ａを覆う意匠パネル３によって構成される。そして、意匠パネル３の周縁には、空気が流通できるだけの隙間が形成されている。このとき、熱交換器２０の下流側に貫流ファン１１０を備えた従来の室内機１０１においては、熱交換器２０を通過する空気は、貫流ファン１１０によって吸引される空気となる。このため、ケーシング１０の前面部と意匠パネル３との間の隙間を流れる空気（図１０に矢印で示す）は、熱交換器２０に流入する流れとなる。そして、この空気は、熱交換器２０を通った後に吹出口６から流出することとなる。したがって、熱交換器２０の下流側に貫流ファン１１０を備えた従来の室内機１０１においては、ケーシング１０の前面部と意匠パネル３との間の隙間を流れる空気に関して、特に留意する必要がなかった。
【００１２】
一方、熱交換器２０の上流側にプロペラファン１１を備えた従来の空気調和機の室内機１０２においては、熱交換器２０を通過する空気は、プロペラファン１１から吹き出された空気となる。つまり、プロペラファン１１によって熱交換器２０へ空気を押し込む構成（熱交換器２０の下流側から空気を吸引しない構成）となっている。このため、ケーシング１０内に形成される風路の前側側壁をケーシング１０の前面部及び意匠パネル３によって構成した場合、プロペラファン１１から吹き出された空気の一部は、熱交換器２０に流入せず、ケーシング１０の前面部と意匠パネル３との間の隙間からケーシング１０外へ漏れ出てしまう（図１１に矢印で示す）。このため、熱交換器２０の上流側にプロペラファン１１を備えた従来の空気調和機の室内機１０２においては、ケーシング１０の前面部と意匠パネル３との間の隙間から熱交換前の空気が風路外へ漏れ出すことにより、室内機の空調性能が低下してしまうという課題があった。また、室内機１０２が冷房運転する際には、ケーシング１０の前面部と意匠パネル３との間の隙間から、熱交換器２０の表面で冷却された冷たい空気が風路外へ漏れ出す場合もある。このため、熱交換器２０の上流側にプロペラファン１１を備えた従来の空気調和機の室内機１０２においては、この冷たい空気がケーシング１０の前面部と意匠パネル３との間の隙間近傍を冷却することにより、ケーシング１０の外面部が結露してしまうという課題もあった。
【００１３】
本発明は、上記のような課題を解決するためになされたものであり、熱交換器の上流側にプロペラファンを備えた空気調和機の室内機において、意匠パネル周縁からの空気漏れに起因する空調能力の低下及びケーシング外面部への結露を防止できる空気調和機の室内機を得ることを目的とする。
【課題を解決するための手段】
【００１４】
本発明に係る空気調和機の室内機は、上部に形成された吸込口、前面部下側に形成された吹出口、及び前記吸込口と前記吹出口とを連通する風路を有するケーシングと、前記風路内における前記吸込口の下流側に設けられた少なくとも１つのプロペラファンと、前記風路内における前記プロペラファンの下流側に設けられ、前記プロペラファンによって前記風路内へ吸い込まれた空気と冷媒とを熱交換させる熱交換器と、を備えた空気調和機の室内機において、前記ケーシングの前面部に形成されたケーシング開口部を開閉自在に覆う意匠パネルと、前記意匠パネルの背面側に設けられ、前記プロペラファンと前記熱交換器との間の前面側の開口部を密閉し、前記プロペラファンと前記熱交換器との間の風路の前側側壁を構成する正面カバーと、を備えたものである。
【発明の効果】
【００１５】
本発明に係る空気調和機の室内機は、意匠パネルの背面側に設けられ、プロペラファンと熱交換器との間の前面側の開口部を密閉し、プロペラファンと熱交換器との間の風路の前側側壁を構成する正面カバーを備えている。このため、意匠パネル周縁（ケーシングの前面部と、該前面部に形成された開口部を覆う意匠パネルと、の間の隙間）から空気が風路外へ漏れ出すことを防止できる。したがって、本発明に係る空気調和機の室内機は、意匠パネル周縁からの空気漏れに起因する空調能力の低下及びケーシング外面部への結露を防止できる。
【００１６】
なお、特許文献１には、意匠パネル（特許文献１では吸込グリル２）の背面側に設けられたカバー（特許文献１では集塵電極カバー５）が記載されている。しかしながら、特許文献１に記載の室内機は、熱交換器の下流側に貫流ファンを備えた室内機である。このため、特許文献１に記載の室内機は、本願発明の課題（意匠パネル周縁からの空気漏れに起因する空調能力の低下及び筐体外面部への結露を防止すること）を考慮したものではなく、意匠パネル周縁の気密性について何ら考慮していない。つまり、特許文献１に記載の意匠パネルの背面側に設けられたカバーは、本発明に係る正面カバーとは全く異なるものであることを付言しておく。
【図面の簡単な説明】
【００１７】
【図１】本発明の実施の形態に係る空気調和機の室内機の一例を示す分解斜視図である。
【図２】本発明の実施の形態に係る空気調和機の室内機の一例を示す側面断面図である。
【図３】本発明の実施の形態に係る空気調和機の室内機の一例における意匠パネルを外した状態を示す斜視図である。
【図４】本発明の実施の形態に係る空気調和機の室内機の一例における意匠パネル及び正面パネルを外した状態を示す斜視図である。
【図５】本発明の実施の形態に係る空気調和機の室内機の一例に設けられた空気清浄装置近傍を示す説明図である。
【図６】本発明の実施の形態に係る空気調和機の室内機の一例に設けられた空気清浄装置近傍を示す説明図である。
【図７】本発明の実施の形態に係る空気調和機の室内機の一例に設けられた開閉蓋を前面側から見た状態を示す斜視図である。
【図８】本発明の実施の形態に係る空気調和機の室内機の一例に設けられた開閉蓋を背面側から見た状態を示す斜視図である。
【図９】本発明の実施の形態に係る空気調和機の室内機の一例に設けられた開閉蓋の取り付け構成の別の例を示す側面断面図である。
【図１０】熱交換器の下流側に貫流ファンを備えた従来の空気調和機の室内機を示す側面断面図である。
【図１１】熱交換器の上流側にプロペラファンを備えた従来の空気調和機の室内機を示す側面断面図である。
【発明を実施するための形態】
【００１８】
実施の形態．
以下、図面を用いながら、本実施の形態に係る空気調和機の室内機について説明する。なお、従来の室内機の構成要素と同一の機能を果たす構成要素については、同一の符号を用いて述べることとする。
【００１９】
図１は、本発明の実施の形態に係る空気調和機の室内機の一例を示す分解斜視図である。図２は、この空気調和機の室内機を示す側面断面図である。図３は、この空気調和機の室内機における意匠パネルを外した状態を示す斜視図である。また、図４は、この空気調和機の室内機における意匠パネル及び正面パネルを外した状態を示す斜視図である。
【００２０】
室内機１００は、冷媒を循環させる冷凍サイクルを利用することで室内等の空調対象域に空調空気を供給するものである。この室内機１００は、主に、室内空気を内部に吸い込むための吸込口５及び空調空気を空調対象域に供給するための吹出口６が形成されているケーシング１０と、このケーシング１０内に収納され、吸込口５から室内空気を吸い込み、吹出口６から空調空気を吹き出すプロペラファン１１と、プロペラファン１１から吹出口６までの風路に配設され、冷媒と室内空気とを熱交換させて空調空気を作り出す熱交換器２０と、を有している。
【００２１】
ケーシング１０は、室内機１００の骨格を形成するものであり、複数の部品の組合せで構成しても一体構造でもよい。本実施の形態では、筐体１、正面パネル２及び意匠パネル３によって、ケーシング１０を構成している。
【００２２】
筐体１は、ケーシング１０の後面部及び下面部の後方を構成するものである。正面パネル２は、ケーシング１０の前面部の一部、上面部及び側面部を構成するものであり、筐体１に取り付けられている。この正面パネル２は、上面部に吸込口５が形成されている。後述のように、ケーシング１０内には３つのプロペラファン１１が並設されるため、正面パネル２の上面部にも、これらプロペラファン１１と対応する位置に３つの吸込口５が並んで形成されている。各吸込口５は例えば略四角形状となっており、内部には天面格子が形成されている。また、正面パネル２は、前面部に、本発明のケーシング開口部に相当する開口部３ａが形成されている。この開口部３ａには、当該開口部３ａを開閉自在に覆う意匠パネル３が設けられている。なお、正面パネル２が筐体１に取り付けられた際、例えば正面パネル２の前面部下端と筐体１との間が吹出口６となる。換言すると、吹出口６は、ケーシング１０の下部（より詳しくは、ケーシング１０の前面部下側）に開口形成されている。また、本実施の形態では、開口部３ａの形成によって正面パネル２の強度が不足することを防止するため、開口部３ａには、縦方向に支持部材３ｂが延設されている。
【００２３】
このように上部に吸込口５が開口形成され、ケーシング１０の下部（より詳しくは、ケーシング１０の前面部下側）に吹出口６が開口形成されたケーシング１０には、プロペラファン１１、熱交換器２０及びフィルター４０等が収容されている。つまり、吸込口５と吹出口６とを連通するケーシング１０内の風路には、プロペラファン１１、熱交換器２０及びフィルター４０等が収容されている。
【００２４】
プロペラファン１１は、吸込口５の下流（風下）側となる位置に設けられている。本実施の形態では、３つのプロペラファン１１が、左右方向に並設されている。これらプロペラファン１１は、ファン取付部材１２に設けられている。詳しくは、このファン取付部材１２にはプロペラファン１１の数に対応した数のベルマウスが形成されており、プロペラファン１１はベルマウス内に配置される。本実施の形態では、左右方向に３つのプロペラファン１１が並設されている。このため、ファン取付部材１２にも、左右方向に３つのベルマウスが並設されている。また、各プロペラファン１１の吸込口、つまり吸込口５とプロペラファン１１との間には、ケーシング１０の風路内へ流入する室内空気から塵埃を除去するフィルター４０が設けられている。なお、プロペラファン１１の数はあくまでも一例であり、室内機１００に要求される風量に基づいてプロペラファン１１の数を適宜決定すればよい。このため、プロペラファン１１の数は、少なくとも１つあればよい。
【００２５】
熱交換器２０は、例えばフィンチューブ型熱交換器であり、例えば側面視略Λ型に形成されている。この熱交換器２０は、プロペラファン１１の下方、つまり、プロペラファン１１の下流（風下）側に設けられている。この熱交換器２０は、左右両端部に側板２１が設けられており、当該側板２１を介して筐体１に取り付けられている。これら側板２１は、プロペラファン１１の下流側となる風路において、筐体１と共に側壁としても機能する。
【００２６】
また、室内機１００のケーシング１０には、熱交換器２０の下方（つまり下流側）となる位置に、ドレンパンユニット５０及び風向ユニット６０も設けられている。ドレンパンユニット５０は、冷房運転時に熱交換器２０へ付着した露を回収するものである。このドレンパンユニット５０は、熱交換器２０の前方下端部の下方に配置された前側ドレンパン５１と、熱交換器２０の後方下端部の下方に配置された後側ドレンパン５２とを備えている。また、本実施の形態に係るドレンパンユニット５０は、前側ドレンパン５１と後側ドレンパン５２との間が吹出口６に通ずるノズル部としても機能している。また、本実施の形態では、プロペラファン１１から吹き出された空気が熱交換器２０の前方へ流れた際、当該空気が熱交換器２０を通らずに吹出口６へ流れることを防止するため、熱交換器２０の前側下端部と前側ドレンパン５１との間をシール部材５３で密閉している。同様に、プロペラファン１１から吹き出された空気が熱交換器２０の後方へ流れた際、当該空気が熱交換器２０を通らずに吹出口６へ流れることを防止するため、熱交換器２０の後側下端部と後側ドレンパン５２との間をシール部材５４で密閉している。つまり、本実施の形態では、ドレンパンユニットが、シール部材５３，５４を介して熱交換器２０の上流側風路と下流側風路とに分離する風路分離部材に相当する。
【００２７】
風向ユニット６０は、吹出口６から吹き出される空調空気の向きを調整するための機構であり、例えば、上下方向や左右方向に揺動自在なベーン等で構成されている。この風向ユニット６０は、吹出口６に設けられている。
また、室内機１００には、プロペラファン１１の回転数や風向ユニット６０のベーン角度等を制御する電気基板等が収納された電気品箱７０も設けられている。この電気品箱７０は、熱交換器２０の側板２１と対向するように、筐体１に取り付けられている。
【００２８】
ここで、本実施の形態に係る室内機１００は、ケーシング１０の風路内において、プロペラファン１１が熱交換器２０の上流側に設けられている。このため、本実施の形態に係る室内機１００には、以下に示す理由により、熱交換器２０の前方に正面カバー４を配設している。
【００２９】
通常、ケーシング内に形成される風路の前側側壁は、意匠パネル及び正面パネルの前面部によって構成される。このとき、ケーシングの風路内において貫流ファンが熱交換器の下流側に設けられている場合、熱交換器を通過する空気は、貫流ファンによって吸引される空気となる。このため、意匠パネルと正面パネルとの間の隙間を通る空気は、熱交換器に流入する流れとなる。このため、ケーシングの風路内において貫流ファンが熱交換器の下流側に設けられている場合、意匠パネル及び正面パネルの前面部によって風路の前面壁を構成しても、特に問題はない。
【００３０】
一方、ケーシング１０の風路内においてプロペラファン１１が熱交換器２０の上流側に設けられている場合、熱交換器２０を通過する空気は、プロペラファン１１から吹き出された空気となる。つまり、ケーシング１０の風路内においてプロペラファン１１が熱交換器２０の上流側に設けられている場合、プロペラファン１１によって熱交換器２０へ空気を押し込む構成（熱交換器２０の下流側から空気を吸引しない構成）となっている。このため、プロペラファン１１から吹き出された空気の一部は、熱交換器２０に流入せず、意匠パネル３と正面パネル２との間の隙間からケーシング１０外へ漏れ出てしまう場合がある。そして、ケーシング１０外へ漏れ出る空気量が多いと、熱交換器２０を通過する空気の量が低下し、室内機１００の空調性能が低下してしまう。また、室内機１００が冷房運転する際には、ケーシング１０の前面部と意匠パネル３との間の隙間から、熱交換器２０の表面で冷却された冷たい空気が風路外へ漏れ出す場合もある。このため、この冷たい空気がケーシング１０の前面部と意匠パネル３との間の隙間近傍を冷却することにより、ケーシング１０の外面部が結露してしまうこともある。
【００３１】
このため、プロペラファン１１が熱交換器２０の上流側に設けられている本実施の形態に係る室内機１００では、ファン取付部材１２の前部、熱交換器２０の左右の側板２１の前部及び前側ドレンパン５１で形成される開口部を正面カバー４で密閉している。つまり、本実施の形態に係る室内機１００は、プロペラファン１１と熱交換器２０との間の風路の前側側壁を正面カバー４で構成している。これにより、意匠パネル３と正面パネル２との間の隙間からケーシング１０外へ空気が漏れ出ることを防止でき、室内機１００の空調性能が低下することを防止できる。また、室内機１００が冷房運転する際、ケーシング１０の外面部が結露してしまうことも防止できる。
【００３２】
なお、本実施の形態では、正面カバー４とファン取付部材１２の前部及び前側ドレンパン５１の前部とをネジ止めすることにより、ファン取付部材１２の前部、熱交換器２０の左右の側板２１の前部及び前側ドレンパン５１で形成される開口部を正面カバー４で密閉している（図４のネジ固定位置４ｃを参照）。しかしながら、これに限らず、ファン取付部材１２の前部、熱交換器２０の左右の側板２１の前部及び前側ドレンパン５１の前部と正面カバー４との間にシール部材を設け、ファン取付部材１２の前部、熱交換器２０の左右の側板２１の前部及び前側ドレンパン５１で形成される開口部を正面カバー４で密閉してもよい。このとき、正面カバー４がネジ止めされる必要は必ずしもなく、公知の種々の構成（例えば係合凹部と係合凸部による係止等）で正面カバーを固定すればよい。また、正面カバー４とファン取付部材１２とを一体で構成しても勿論よい。正面カバー４をネジ止め固定する構成では、シール部材を設けることなくファン取付部材１２の前部、熱交換器２０の左右の側板２１の前部及び前側ドレンパン５１で形成される開口部の密閉度をある程度確保できるので、正面カバー４の取り付け作業性が向上する。また、正面カバー４とファン取付部材１２とを一体形成する構成では、正面カバー４の取り付け作業性がより向上する。また、ファン取付部材１２の前部、熱交換器２０の左右の側板２１の前部及び前側ドレンパン５１の前部と正面カバー４との間にシール部材を設ける構成では、ファン取付部材１２の前部、熱交換器２０の左右の側板２１の前部及び前側ドレンパン５１で形成される開口部を正面カバー４でより確実に密閉でき、意匠パネル３と正面パネル２との間の隙間からケーシング１０外へ空気が漏れ出ることをより確実に防止できる。
【００３３】
また、本実施の形態に係る室内機１００には、フィルター４０の他にも、空気清浄を行う空気清浄装置３１が設けられている。
【００３４】
図５及び図６は、本発明の実施の形態に係る空気調和機の室内機の一例に設けられた空気清浄装置近傍を示す説明図である。詳しくは、図５（ａ）は、空気清浄装置３１の挿入・取り出しを行うために正面カバー４に形成された挿入口４ａ近傍を示す斜視図であり、当該挿入口４ａに設けられた開閉蓋３２が挿入口４ａを覆っている状態を示すものである。図５（ｂ）は、開閉蓋３２が挿入口４ａを覆っている状態の空気清浄装置３１近傍を示す側面断面図である。図６（ａ）は、空気清浄装置３１の挿入・取り出しを行うために正面カバー４に形成された挿入口４ａ近傍を示す斜視図であり、当該挿入口４ａに設けられた開閉蓋３２が開いている状態を示すものである。図６（ｂ）は、開閉蓋３２が開いている状態の空気清浄装置３１近傍を示す側面断面図である。また、図７は、この開閉蓋を前面側から見た状態を示す斜視図であり、図８は、この開閉蓋を背面側から見た状態を示す斜視図である。
以下、これら図５〜図８及び上述の図１〜図４を用いて、本実施の形態における空気清浄装置３１の設置構成について説明する。
【００３５】
空気清浄装置３１は、プロペラファン１１と熱交換器２０との間の風路に設けられている。この空気清浄装置３１は、例えば、電極間において塵埃を帯電させて、帯電させた塵埃を集塵電極で収集するものである。また、この空気清浄装置３１は、例えば、オゾンを発生させて、空気の脱臭や除菌を行うものである。この空気清浄装置３１は、正面カバー４から背面側に延設されたスライド機構等によって前後方向に摺動自在に支持され、正面カバー４の挿入口４ａから取り出し自在となっている。
【００３６】
この挿入口４ａには、この挿入口４ａを覆う開閉蓋３２が設けられている。詳しくは、正面カバー４の挿入口４ａ近傍（より詳しくは、挿入口４ａの上方）には、開閉軸４ｂが設けられている。一方、開閉蓋３２の上縁部には、開閉軸４ｂと対応する位置に、係止片３２ａが設けられている。そして、係止片３２ａを開閉軸４ｂに係止させることにより、開閉蓋３２は、開閉軸４ｂを中心に回動自在に（換言すると開閉蓋３２の上縁部で回動自在となるように）設けられている。また、開閉蓋３２の背面側には、四辺にシール部材３３が設けられており、開閉蓋３２を閉じた際、シール部材３１が開閉蓋３２と正面カバー４との間に挟持され、開閉蓋３２が挿入口４ａを密閉できる構成となっている。なお、開閉蓋３２は、例えば、図示しないバネ部材等により、挿入口４ａを閉塞する方向に付勢されている。
【００３７】
なお、開閉蓋３２を正面カバー４にネジ止めして、開閉蓋３２が挿入口４ａを密閉する構成を追加してもよい。挿入口４ａをより確実に密閉することができる。なお、開閉蓋３２を正面カバー４にネジ止めすることにより、挿入口４ａの密閉度がある程度確保されるので、開閉蓋３２の背面側にシール部材３３を設けない構成とすることも可能である。なお、本実施の形態では、清掃等のために空気清浄装置３１が定期的に挿入・取り外しされることを考慮し、開閉蓋３２の背面側にシール部材３３を設け、開閉蓋３２をネジ止めしなくとも挿入口４ａの密閉度を確保できる構成としている。
【００３８】
（空気清浄装置３１の挿入・取り外し動作）
続いて、このように構成された室内機１００における空気清浄装置３１の挿入・取り外し動作について説明する。
空気清浄装置３１は、フィルター４０と同様に、定期的に取り外して付着した塵埃等を除去すること（つまり、清掃すること）が好ましい。この場合、次のように空気清浄装置３１を室内機１００から取り外す。まず、意匠パネル３を開いて、正面パネル２の開口部３ａから、正面カバー４及び開閉蓋３２を露出させる。そして、開閉蓋３２を開き、空気清浄装置３１を前方（図６（ｂ）に示す矢印方向）に引き出すことにより、空気清浄装置３１を室内機１００から取り出すことができる。
【００３９】
また、空気清浄装置３１を清掃した後、空気清浄装置３１は次のように室内機１００に取り付けられる。つまり、開閉蓋３２を開き、挿入口４ａから空気清浄装置３１をケーシング１０内（より詳しくは、プロペラファン１１と熱交換器２０との間の風路）に挿入する。その後、開閉蓋３２及び意匠パネル３を閉める。
【００４０】
なお、フィルター４０を室内機１００から取り外す際は、意匠パネル３を開いて、フィルター４０を前方に引き抜けばよい。また、フィルター４０を室内機１００に取り付ける際には、フィルター４０をケーシング１０内（より詳しくは、吸込口５とプロペラファン１１との間）に挿入し、意匠パネル３を閉めればよい。
【００４１】
（室内機１００の運転動作）
続いて、このように構成された室内機１００の運転動作について説明する。
プロペラファン１１が駆動されると、ケーシング１０（より詳しくは正面パネル２）の上部に形成された吸込口５から室内の空気を吸込む。吸込口５からケーシング１０内に流入したこの空気は、フィルター４０を通り、プロペラファン１１に流入する。この空気は、プロペラファン１１によって風路（筐体１、側板２１及び正面カバー４で囲まれた空間）内に吹き出される。風路内に吹き出されたこの空気は、空気清浄装置３１で空気清浄が行われた後、熱交換器２０に流入する。
【００４２】
このとき、熱交換器２０はフィン間の隙間が狭く通風抵抗が大きいので、熱交換器２０に流入させたい空気のうちの一部は、通風抵抗の小さな流路に流れ込もうとする。このため、プロペラファン１１と熱交換器２０と間の風路が意匠パネル３と正面パネル２との間の隙間に連通している場合、熱交換器２０に流入させたい空気のうちの一部が、意匠パネル３と正面パネル２との間の隙間からケーシング１０外に漏れ出してしまう。そして、意匠パネル３と正面パネル２との間の隙間からケーシング１０外に空気が漏れ出すと、熱交換器２０に流入する空気の量が低下してしまい、室内機１００の空調性能が低下してしまう。また、室内機１００が冷房運転する際には、意匠パネル３と正面パネル２との間の隙間から熱交換器２０の表面で冷却された冷たい空気が漏れ出す場合もあり、意匠パネル３と正面パネル２との間の隙間近傍において、ケーシング１０の外面部に結露してしまうことも懸念される。
【００４３】
しかしながら、本実施の形態に係る室内機１００は、プロペラファン１１と熱交換器２０との間の風路の前側側壁を正面カバー４で構成しているので、つまり、ファン取付部材１２の前部、熱交換器２０の左右の側板２１の前部及び前側ドレンパン５１で形成される開口部を正面カバー４で密閉しているので、意匠パネル３と正面パネル２との間の隙間からケーシング１０外へ空気が漏れ出ることを防止できる。このため、室内機１００の空調性能が低下することを防止できる。また、室内機１００が冷房運転する際、ケーシング１０の外面部が結露してしまうことも防止できる。
【００４４】
熱交換器２０に流入した空気は、熱交換器２０を流れる冷媒と熱交換した後、空調空気として吹出口６から室内に排出される。
【００４５】
以上、本実施の形態のように構成された空気調和機の室内機１００においては、プロペラファン１１と熱交換器２０との間の風路の前側側壁を正面カバー４で構成しているので、つまり、ファン取付部材１２の前部、熱交換器２０の左右の側板２１の前部及び前側ドレンパン５１で形成される開口部を正面カバー４で密閉しているので、意匠パネル３と正面パネル２との間の隙間からケーシング１０外へ空気が漏れ出ることを防止できる。このため、室内機１００の空調性能が低下することを防止できる。また、室内機１００が冷房運転する際、ケーシング１０の外面部が結露してしまうことも防止できる。
【００４６】
なお、正面カバー４を設けることにより、ケーシング１０の前面側は、正面カバー４と正面パネル２の前面部及び意匠パネル３とによって二重板構造となる。このため、プロペラファン１１の駆動音等がケーシング１０外に漏れ出すことを抑制でき、室内機１００の遮音効果を向上させられるという効果も得られる。
【００４７】
また、本実施の形態のように構成された空気調和機の室内機１００においては、空気清浄装置３１を設ける場合、空気清浄装置３１の挿入・取り外し用の挿入口４ａを正面カバー４に形成し、挿入口４ａを開閉蓋３２で密閉している。このため、空気清浄装置３１を設ける場合でも、意匠パネル３と正面パネル２との間の隙間からケーシング１０外へ空気が漏れ出ることを防止できる。
【００４８】
なお、本実施の形態では開閉蓋３２を正面カバー４に取り付ける構成としたが、上述した開閉蓋３２の取り付け構成はあくまでも一例である。例えば、開閉蓋３２の取り付け構成を図９に示す構成としてもよい。図９では、開閉蓋３２を空気清浄装置３１の前面部に取り付けている。そして、空気清浄装置３１と共に開閉蓋３２を室内機１００から挿入・取り外しできる構成とし、空気清浄装置３１をケーシング１０に挿入した際、開閉蓋３２が挿入口４ａを密閉できる構成としている。このように構成しても、上記と同様の効果を得ることができる。なお、空気清浄装置３１を収納部材に収納してケーシング１０内に配置する構成とし、開閉蓋３２を当該収納部材に取り付けてもよい。空気清浄装置３１から開閉蓋３２を取り外しやすくなり、空気清浄装置３１の清掃が容易となる。
【符号の説明】
【００４９】
１  筐体、２  正面パネル、３  意匠パネル、３ａ  開口部、３ｂ  支持部材、４  正面カバー、４ａ  挿入口、４ｂ  開閉軸、４ｃ  ネジ固定位置、５  吸込口、６  吹出口、１０  ケーシング、１１  プロペラファン、１２  ファン取付部材、２０  熱交換器、２１  側板、３１  空気清浄装置、３２  開閉蓋、３２ａ  係止片、３３  シール部材、４０  フィルター、５０  ドレンパンユニット、５１  前側ドレンパン、５２  後側ドレンパン、５３  シール部材、５４  シール部材、６０  風向ユニット、７０  電気品箱、１００  室内機、１０１  室内機（従来）、１０２  室内機（従来）、１１０  貫流ファン。
【図１】
0005800740.tif 000002
【図２】
0005800740.tif 000003
【図３】
0005800740.tif 000004
【図４】
0005800740.tif 000005
【図５】
0005800740.tif 000006
【図６】
0005800740.tif 000007
【図７】
0005800740.tif 000008
【図８】
0005800740.tif 000009
【図９】
0005800740.tif 000010
【図１０】
0005800740.tif 000011
【図１１】
0005800740.tif 000012